(57)【要約】【課題】高効率で色純度の高い液晶ディスプレイ装置、および当該液晶ディスプレイ装置を実現する上で好適な液晶バックライト装置を提供する。【解決手段】複数の赤、緑、青色レーザ光を発する光源部と、光源部より発せられたレーザ光を側面から入射し、対向する主面のうち光を出射面とは反対側の面に設けられた複数の反射部によって出射面側に光を反射して出射する複数の導光板と、を備え、複数の導光板は、出射面の法線方向が一致するように重ねて配置されるとともに、法線方向から見て各導光板の反射部が重ならないように配置され、出射するレーザ光は、液晶パネルの赤色用画素、緑色用画素、青色用画素にそれぞれ入射する、構成を採る。【選択図】図１
2010067552.tif 000002
【特許請求の範囲】
【請求項１】
液晶パネルの背面から光を照射するバックライト装置であって、
複数の赤色レーザ光を発する第１光源部と、
複数の緑色レーザ光を発する第２光源部と、
複数の青色レーザ光を発する第３光源部と、
第１光源部より発せられた赤色レーザ光を側面から入射し、対向する主面のうち光を出射する第１出射面とは反対側の面に設けられた複数の第１反射部によって前記第１出射面側に光を反射して出射する第１導光板と、
第２光源部より発せられた緑色レーザ光を側面から入射し、対向する主面のうち光を出射する第２出射面とは反対側の面に設けられた複数の第２反射部によって前記第２出射面側に光を反射して出射する第２導光板と、
第３光源部より発せられた青色レーザ光を側面から入射し、対向する主面のうち光を出射する第３出射面とは反対側の面に設けられた複数の第３反射部によって前記第３出射面側に光を反射して出射する第３導光板と、を備え、
前記第１、第２および第３導光板は、前記第１、第２および第３出射面の法線方向が一致するように重ねて配置されるとともに、前記法線方向から見て前記第１、第２および第３反射部が重ならないように配置され、
前記第１導光板より出射した赤色レーザ光、前記第２導光板より出射した緑色レーザ光および前記第３導光板より出射した青色レーザ光は、前記液晶パネルの赤色用画素、緑色用画素、青色用画素にそれぞれ入射する、
バックライト装置。
【請求項２】
前記第１、第２および第３導光板のうち、前記第３導光板が前記液晶パネルに最も近くになるように重ねて配置される、
請求項１記載のバックライト装置。
【請求項３】
前記第１光源部は、
コリメートされた赤色レーザ光を発する赤色レーザ光源と、
前記赤色レーザ光源より発せられた赤色レーザ光を端部から入射し、複数の反射部によって側面側に複数の光を反射して出射する赤色用導光棒と、を有し、
前記第２光源部は、
コリメートされた緑色レーザ光を発する緑色レーザ光源と、
前記緑色レーザ光源より発せられた緑色レーザ光を端部から入射し、複数の反射部によって側面側に複数の光を反射して出射する緑色用導光棒と、を有し、
前記第３光源部は、
コリメートされた青色レーザ光を発する青色レーザ光源と、
前記赤色レーザ光源より発せられた青色レーザ光を端部から入射し、複数の反射部によって側面側に複数の光を反射して出射する青色用導光棒と、を有している、
請求項１記載のバックライト装置。
【請求項４】
請求項１乃至４いずれか記載のバックライト装置と、
前記バックライト装置からの光を背面から入射する液晶パネルと、を備えた、
液晶ディスプレイ装置。
【発明の詳細な説明】
【技術分野】
【０００１】
本発明は、レーザ光源を有するバックライト装置およびそれを用いた液晶ディスプレイ装置に関する。
【背景技術】
【０００２】
近年の微細な光半導体製造技術の進展により、半導体レーザの性能が向上したため、半導体レーザを高効率な光源としてディスプレイ装置（特にバックライト装置）へ応用することが可能となってきた。
【０００３】
例えば、レーザ光を液晶ディスプレイ装置の光源として利用した場合、電気から光への変換効率が高いため、省電力の液晶ディスプレイ装置を実現することができる。
【０００４】
周知のように、一般的な液晶ディスプレイは、従来白色光源をひとつひとつの画素に設けたカラーフィルタによって３原色を取り出し、フルカラーの表示を実現している。ところが、カラーフィルタは、選択する色を透過し、残りの色の光については吸収する。すなわち、３原色が混ざった白色光をカラーフィルタに通すと、入手した光の１／３しか利用されず、残りの２／３は無駄に捨てられることになる。
【０００５】
また、カラーフィルタの遮断特性は完全ではないので、選択する色以外の色の光についても多少透過し、漏れこんでしまう。このため色純度の高いレーザ光源を用いても、３原色を混合し、再び液晶ディスプレイの画素ごとに設けられたカラーフィルタによって色を選択すると、漏れこんだ他の原色光によって色の純度が低下し、表現できる色の範囲が縮小してしまう。これらは、液晶ディスプレイの画素に混色した白色光を供給することによって起こる現象である。
【０００６】
そこで、それぞれの画素に対して、その画素が担当する原色の光だけが供給される光源手段が提案されている（例えば、特許文献１）。
【０００７】
図７は、そのような従来技術による液晶バックライト装置の構成の一例を示す模式図である。液晶パネル３０１において、光源からの光が入射する側に、赤、緑、青の３つの画素３０２の組に対応させレンチキュラレンズ３０３がある。レンチキュラレンズ３０３の焦点距離は、レンチキュラレンズ３０３から、液晶パネル３０１上の赤、緑、青の３つの画素３０２の位置に設定されている。
【０００８】
この構成において、レンチキュラレンズ３０３に平行光が入射すると、その傾角によって、焦点位置は移動する。例えば、図７のような傾角で入射した場合には、それぞれ赤、緑、青の３つの画素３０２のそれぞれにだけ到達することになる。
【０００９】
すなわち、赤、緑、青の原色の光源光が、ある一定の傾角をもった平行光であれば、液晶パネル３０１上の赤、緑、青の３つの画素３０２に対応させることができ、各画素で色を分離するカラーフィルタは不要となる。
【００１０】
また、図７のような傾角の異なる３原色の平行光を得る方法としては、図８に示すように、平行な白色光を色毎に角度を変えたダイクロイックミラー３０４によって反射する方法がある。
【特許文献１】特開平４−６０５３８号公報
【発明の開示】
【発明が解決しようとする課題】
【００１１】
しかし、上記の従来技術においては、次のような課題がある。
【００１２】
傾角の異なる３原色の平行光を得るために非常に装置が大掛かりになり、液晶ディスプレイ装置を薄型化することができない。
【００１３】
本発明は、かかる点に鑑みてなされたものであり、高効率で色純度の高い液晶ディスプレイ装置、および当該液晶ディスプレイ装置を実現する上で好適な液晶バックライト装置、を提供することを目的とする。
【課題を解決するための手段】
【００１４】
本発明のバックライト装置は、液晶パネルの背面から光を照射するバックライト装置であって、
複数の赤色レーザ光を発する第１光源部と、
複数の緑色レーザ光を発する第２光源部と、
複数の青色レーザ光を発する第３光源部と、
第１光源部より発せられた赤色レーザ光を側面から入射し、対向する主面のうち光を出射する第１出射面とは反対側の面に設けられた複数の第１反射部によって前記第１出射面側に光を反射して出射する第１導光板と、
第２光源部より発せられた緑色レーザ光を側面から入射し、対向する主面のうち光を出射する第２出射面とは反対側の面に設けられた複数の第２反射部によって前記第２出射面側に光を反射して出射する第２導光板と、
第３光源部より発せられた青色レーザ光を側面から入射し、対向する主面のうち光を出射する第３出射面とは反対側の面に設けられた複数の第３反射部によって前記第３出射面側に光を反射して出射する第３導光板と、を備え、
前記第１、第２および第３導光板は、前記第１、第２および第３出射面の法線方向が一致するように重ねて配置されるとともに、前記法線方向から見て前記第１、第２および第３反射部が重ならないように配置され、
前記第１導光板より出射した赤色レーザ光、前記第２導光板より出射した緑色レーザ光および前記第３導光板より出射した青色レーザ光は、前記液晶パネルの赤色用画素、緑色用画素、青色用画素にそれぞれ入射する、構成を採る。
【００１５】
本発明の液晶ディスプレイ装置は、上記構成のバックライト装置と、前記バックライト装置からの光を背面から入射する液晶パネルと、を備える構成を採る。
【発明の効果】
【００１６】
本発明によれば、高効率で色純度の高い液晶ディスプレイ装置、および当該液晶ディスプレイ装置を実現する上で好適なバックライト装置、を提供することができる。
【発明を実施するための最良の形態】
【００１７】
以下、本発明の実施の形態について、図面を参照して詳細に説明する。
【００１８】
＜１．構成＞
図１は、本発明の実施の形態に係るバックライト装置を有する液晶ディスプレイ装置の概略構成を示す斜視図である。図２（ａ）は、図１におけるバックライト装置１００をｚ軸の正の方向側から見たときの正面図であり、図２（ｂ）は、図１における液晶パネル２００をｚ軸の正の方向側から見たときの正面図である。図３は、図１におけるバックライト装置１００をｘ軸の正の方向側から見たときの部分断面図である。
【００１９】
図１に示す液晶ディスプレイ装置１０は、大別してバックライト装置１００と、液晶パネル２００とで構成されている。
【００２０】
バックライト装置１００は、赤色レーザ光源１０１と赤色用導光棒１０４からなる第１光源部と、緑色レーザ光源１０２と緑色用導光棒１０５からなる第２光源部と、青色レーザ光源１０３と青色用導光棒１０６からなる第３光源部と、を備えている。また、バックライト装置１００は、第１光源部より発せられた複数の赤色レーザ光を側面（図１において、ｘ軸の負の方向側の面）から入射して液晶パネル２００側へ出射する第１導光板１０７と、第２光源部より発せられた複数の緑色レーザ光を側面（図１において、ｘ軸の負の方向側の面）から入射して液晶パネル２００側へ出射する第２導光板１０８と、第３光源部より発せられた複数の青色レーザ光を側面（図１において、ｘ軸の負の方向側の面）から入射して液晶パネル２００側へ出射する第３導光板１０９と、を備えている。
【００２１】
赤色レーザ光源１０１は、半導体レーザからなる。赤色レーザ光源１０１は、コリメートされた、すなわち、細くしかも発散角の小さい赤色レーザ光を赤色用導光棒１０４の端部へ向けて発する。
【００２２】
緑色レーザ光源１０２は、半導体レーザからなる。緑色レーザ光源１０２は、コリメートされた緑色レーザ光を緑色用導光棒１０５の端部へ向けて発する。なお、緑色レーザ光源１０２は、ＳＨＧ（Ｓｅｃｏｎｄ Ｈａｒｍｏｎｉｃ Ｇｅｎｅｒａｔｏｒ）レーザを用いてもよい。
【００２３】
青色レーザ光源１０３は、半導体レーザからなる。青色レーザ光源１０３は、コリメートされた青色レーザ光を青色用導光棒１０６の端部へ向けて発する。
【００２４】
赤色用導光棒１０４は、例えばＰＭＭＡ（Ｐｏｌｙｍｅｔｈｙｌｍｅｔｈａｃｒｙｌａｔｅ）のような透明樹脂、あるいは光学ガラスからなる。赤色用導光棒１０４は、赤色レーザ光源１０１より発せられた赤色レーザ光を端部から入射する。そして赤色用導光棒１０４は、複数のプリズム４００によって、入射した赤色レーザ光を複数に分けて、側面側（図１において、ｘ軸の正の方向側）から出射する。プリズム４００は、入射した赤色レーザ光の一部を赤色用導光棒１０４の長手方向（図１において、ｙ軸の正の方向）と直角の方向（図１において、ｘ軸の正の方向）に反射する。なお、プリズム４００は、反射部の一例である。プリズム４００においては、赤色用導光棒１０４の材質の屈折率と空気の屈折率の差によって起こる全反射を用いて赤色レーザ光を反射させたが、一般の金属反射膜や、赤色レーザ光の波長に対応した誘電体多層膜によっても同様の作用を得ることが可能である。
【００２５】
緑色用導光棒１０５は、例えばＰＭＭＡのような透明樹脂、あるいは光学ガラスからなる。緑色用導光棒１０５は、緑色レーザ光源１０２より発せられた緑色レーザ光を端部から入射する。そして緑色用導光棒１０５は、複数のプリズム５００によって、入射した緑色レーザ光を複数に分けて、側面側（図１において、ｘ軸の正の方向側）から出射する。プリズム５００は、入射した緑色レーザ光の一部を緑色用導光棒１０５の長手方向（図１において、ｙ軸の正の方向）と直角の方向（図１において、ｘ軸の正の方向）に反射する。なお、プリズム５００は、反射部の一例である。プリズム５００においては、緑色用導光棒１０５の材質の屈折率と空気の屈折率の差によって起こる全反射を用いて緑色レーザ光を反射させたが、一般の金属反射膜や、緑色レーザ光の波長に対応した誘電体多層膜によっても同様の作用を得ることが可能である。
【００２６】
青色用導光棒１０６は、例えばＰＭＭＡのような透明樹脂、あるいは光学ガラスからなる。青色用導光棒１０６は、青色レーザ光源１０３より発せられた青色レーザ光を端部から入射する。そして青色用導光棒１０６は、複数のプリズム６００によって、入射した青色レーザ光を複数に分けて、側面側（図１において、ｘ軸の正の方向側）から出射する。プリズム６００は、入射した青色レーザ光の一部を青色用導光棒１０６の長手方向（図１において、ｙ軸の正の方向）と直角の方向（図１において、ｘ軸の正の方向）に反射する。なお、プリズム６００は、反射部の一例である。プリズム６００においては、青色用導光棒１０６の材質の屈折率と空気の屈折率の差によって起こる全反射を用いて青色レーザ光を反射させたが、一般の金属反射膜や、青色レーザ光の波長に対応した誘電体多層膜によっても同様の作用を得ることが可能である。
【００２７】
ここで、図２（ａ）に示すように、プリズム４００、プリズム５００およびプリズム６００は、互いにｙ軸方向にずれて配置されている。すなわち、プリズム４００はプリズム５００よりもｙ軸の正の方向に、プリズム５００はプリズム６００よりもｙ軸の正の方向にずれて配置されている。
【００２８】
第１導光板１０７、第２導光板１０８および第３導光板１０９は、例えばＰＭＭＡなどの透明樹脂からなる透明の板状構成を有する。第１導光板１０７、第２導光板１０８および第３導光板１０９は、内部を透過するレーザ光の指向性を低下させないよう、拡散機能は有していない。
【００２９】
第１導光板１０７は、対向する主面のうち背面側（図１において、ｚ軸の負の方向側）に設けられた複数のプリズム７００によって、背面と対向する出射面側（図１において、ｚ軸の正の方向側）に赤色レーザ光を反射して出射する。なお、プリズム７００は、第１反射部の一例である。プリズム７００においては、第１の導光板１０７の材質の屈折率と空気の屈折率の差によって起こる全反射を用いて赤色レーザ光を反射させたが、一般の金属反射膜や、赤色レーザ光の波長に対応した誘電体多層膜によっても同様の作用を得ることが可能である。
【００３０】
第２導光板１０８は、対向する主面のうち背面側（図１において、ｚ軸の負の方向側）に設けられた複数のプリズム８００によって、背面と対向する出射面側（図１において、ｚ軸の正の方向側）に緑色レーザ光を反射して出射する。なお、背面においてプリズム８００の設けられていない部分は、平面となっている。また、プリズム８００は、第２反射部の一例である。プリズム８００においては、第２の導光板１０８の材質の屈折率と空気の屈折率の差によって起こる全反射を用いて緑色レーザ光を反射させたが、一般の金属反射膜や、緑色レーザ光の波長に対応した誘電体多層膜によっても同様の作用を得ることが可能である。
【００３１】
第３導光板１０９は、対向する主面のうち背面側（図１において、ｚ軸の負の方向側）に設けられた複数のプリズム９００によって、背面と対向する出射面側（図１において、ｚ軸の正の方向側）に緑色レーザ光を反射して出射する。なお、背面においてプリズム９００の設けられていない部分は、平面となっている。また、プリズム９００は、第３反射部の一例である。プリズム９００においては、第３の導光板１０９の材質の屈折率と空気の屈折率の差によって起こる全反射を用いて青色レーザ光を反射させたが、一般の金属反射膜や、青色レーザ光の波長に対応した誘電体多層膜によっても同様の作用を得ることが可能である。
【００３２】
以降、第１導光板の出射面、第２導光板の出射面および第３導光板の出射面を、それぞれ第１出射面、第２出射面および第３出射面と呼ぶ場合がある。
【００３３】
第１、第２および第３導光板は、上述のとおり、第１、第２および第３出射面がｚ軸の正の方向を向いている。言い換えると、第１、第２および第３出射面の法線方向が一致するように重ねて配置されている。
【００３４】
ここで、図２（ａ）または図３に示すように、プリズム７００、プリズム８００およびプリズム９００は、互いにｙ軸方向にずれて配置されている。すなわち、プリズム７００はプリズム８００よりもｙ軸の正の方向に、プリズム８００はプリズム９００よりもｙ軸の正の方向にずれて配置されている。言い換えると、第１、第２および第３出射面の法線方向から見て第１、第２および第３反射部は重ならないように配置されている。
【００３５】
また、プリズム４００とプリズム７００のｙ軸方向の位置は略一致しており、プリズム５００とプリズム８００のｙ軸方向の位置は略一致しており、プリズム６００とプリズム９００のｙ軸方向の位置は略一致している。
【００３６】
液晶パネル２００は、図２（ｂ）に示すように、赤色用画素２０１、緑色用画素２０２、青色用画素２０３を複数備えている。液晶パネル２００は、バックライト装置１００から出射される赤色レーザ光、緑色レーザ光および青色レーザ光を、赤色用画素２０１、緑色用画素２０２、青色用画素２０３のそれぞれ対応する位置に背面から入射する。赤色用画素２０１、緑色用画素２０２、青色用画素２０３は、液晶層（図示せず）などから構成され、入射する各レーザ光の出射量を制御する。
【００３７】
以上、液晶ディスプレイ装置１０の構成について説明した。
【００３８】
＜２．動作＞
次に、液晶ディスプレイ装置１０の動作について、レーザ光の光路に基づいて説明する。
【００３９】
図４は、赤色レーザ光源１０１から出射した赤色レーザ光１１１、緑色レーザ光源１０２から出射した緑色レーザ光１１２、青色レーザ光源１０３から出射した青色レーザ光１１３の光路の一例を示すための分解斜視図である。
【００４０】
赤色レーザ光源１０１から出射した赤色レーザ光１１１（図４において、実線で示す）は、赤色用導光棒１０４内をｙ軸の正の方向に進み、プリズム４００にて一部が側面側、すなわちｘ軸の正の方向側に反射される。赤色用導光棒１０４の側面を出射した赤色レーザ光１１１は、第１導光板１０７に側面から入射する。そして、赤色レーザ光１１１は、第１導光板１０７内をｘ軸の正の方向に進み、プリズム７００にて一部が液晶パネル２００側、すなわちｚ軸の正の方向側に反射され、第１出射面より出射する。第１導光板１０７の第１出射面を出射した赤色レーザ光１１１は、第２導光板、第３導光板を透過して、液晶パネル２００の赤色用画素２０１に入射する。このようにして、液晶パネル２００の赤色用画素２０１からは、赤色の光を出射することが可能となる。
【００４１】
次に、緑色レーザ光源１０２から出射した緑色レーザ光１１２（図４において、点線で示す）は、緑色用導光棒１０５内をｙ軸の正の方向に進み、プリズム５００にて一部が側面側、すなわちｘ軸の正の方向側に反射される。緑色用導光棒１０５の側面を出射した緑色レーザ光１１２は、第２導光板１０８に側面から入射する。そして、緑色レーザ光１１２は、第２導光板１０８内をｘ軸の正の方向に進み、プリズム８００にて一部が液晶パネル２００側、すなわちｚ軸の正の方向側に反射され、第２出射面より出射する。第２導光板１０８の第２出射面を出射した緑色レーザ光１１２は、第３導光板を透過して、液晶パネル２００の緑色用画素２０２に入射する。このようにして、液晶パネル２００の緑色用画素２０２からは、緑色の光を出射することが可能となる。
【００４２】
次に、青色レーザ光源１０３から出射した青色レーザ光１１３（図４において、破線で示す）は、青色用導光棒１０６内をｙ軸の正の方向に進み、プリズム６００にて一部が側面側、すなわちｘ軸の正の方向側に反射される。青色用導光棒１０６の側面を出射した青色レーザ光１１３は、第３導光板１０９に側面から入射する。そして、青色レーザ光１１３は、第３導光板１０９内をｘ軸の正の方向に進み、プリズム９００にて一部が液晶パネル２００側、すなわちｚ軸の正の方向側に反射され、第３出射面より出射する。第３導光板１０９の第３出射面を出射した青色レーザ光１１３は、液晶パネル２００の青色用画素２０３に入射する。このようにして、液晶パネル２００の青色用画素２０３からは、青色の光を出射することが可能となる。
【００４３】
ここで、青色レーザ光１１３を例にとって、第１〜第３の光源部と、第１〜第３の各導光板内でのレーザ光の行路とプリズムの作用について詳しく説明する。
【００４４】
図５は、第３光源部内でのレーザ光の行路を説明するための説明図である。
【００４５】
青色レーザ光源１０３から出射した青色レーザ光１１３は、青色用導光棒１０６内をｙ軸の正の方向に進み、最初のプリズム６００にてその一部はｘ軸の正の方向側に反射される。そして、反射しなかった残りの青色レーザ光１１３は、青色用導光棒１０６内を更にｙ軸の正の方向に進み、次のプリズム６００にてその一部はｘ軸の正の方向側に反射される。これを繰り返し、最後のプリズム６００にまで青色レーザ光１１３が到達する。
【００４６】
このようにして、青色レーザ光源１０３から出射した単一の青色レーザ光１１３は、青色用導光棒１０６内でプリズムの数だけ分光されて、第３導光板１０９に入射することができる。
【００４７】
同様にして、赤色レーザ光１１１、緑色レーザ光１１２も各色用導光棒内でプリズムの数だけ分光することができる。
【００４８】
図６は、第３導光板１０９内での青色レーザ光１１３の行路を説明するための説明図である。
【００４９】
青色用導光棒１０６を出射した複数の青色レーザ光１１３は、第３導光板１０９内をｘ軸の正の方向に進み、最初のプリズム９００にてその一部はｚ軸の正の方向側に反射される。そして、反射しなかった残りの青色レーザ光１１３は、第３導光板１０９内を更にｘ軸の正の方向に進み、次のプリズム９００にてその一部はｚ軸の正の方向側に反射される。これを繰り返し、最後のプリズム９００にまで青色レーザ光１１３が到達する。
【００５０】
このようにして、第３光源部から出射した複数の青色レーザ光１１３は、第３導光板１０６内でプリズムの数だけ分光されて、液晶パネル２００に入射することができる。
【００５１】
同様にして、赤色レーザ光１１１、緑色レーザ光１１２も第１、第２導光板内でプリズムの数だけ分光することができる。
【００５２】
以上、液晶ディスプレイ装置１０の動作について、レーザ光の光路に基づいて説明した。
【００５３】
本実施の形態における液晶ディスプレイ装置１０は、上記の構成および動作の説明の通り、液晶パネル２００の各色用の画素に対してそれぞれの色に応じたレーザ光を入射させることができる。レーザ光の発する光のスペクトルは色純度が高く、色鮮やかな画像を得ることができる。また、従来のように白色光をカラーフィルタを通して各色に分ける必要がないので、カラーフィルタを用いなくてもよい。これによって高効率化を図ることができる。
【００５４】
また、本実施の形態における液晶ディスプレイ装置１０は、上記の構成および動作の説明の通り、赤、緑、青の各色のレーザ光はそれぞれ独立の経路を通って液晶パネルに到達する。よって、それぞれの経路にある、各色用導光棒や導光板は、各色に対してのみ効率よく光を伝達すればよい。すなわち、その材質や、レーザ光を取り出すプリズムの形状や位置をそれぞれの光の波長に対して最適化することができるので、更に高効率化を図ることができる。
【００５５】
また、レーザ光の波長は、短いほど導光棒や導光板への入射、通過で受ける損失が大きい。本実施の形態における液晶ディスプレイ装置１０は、赤色用の第１導光板１０７の上に緑色用の第２導光板１０８が、さらにその上に青色用の第３導光板１０９が配置されている。よって、もっとも波長の短い青色レーザ光は他の色用の導光板を通過することなく液晶パネル２００に到達し、逆にもっとも波長の長い赤色レーザ光は、緑色の第２導光板１０８、青色用の第３導光板１０９を通過して液晶パネルに到達する。このように構成することで、レーザ光の損失を抑えることができ、さらに高効率化を図ることができる。
【００５６】
なお、本実施の形態においては、理解を容易にするため各色用導光棒および第１〜第３導光板のプリズムが、３列の場合を示したが、これに限られるものではない。
【００５７】
また、各色用導光棒は、第１〜第３の導光板の横側の側面に位置している場合について説明したが、これに限られない。例えば、上側や下側の側面に位置していてもよい。この場合、第１〜第３の導光板のプリズムの位置や方向、また、液晶パネル２００の各色用の画素の位置等は適宜修正すればよい。
【００５８】
また、第１〜第３光源部は、それぞれ１つの各色用レーザ光源と１つの導光棒からなる構成を示したが、これに限られない。例えば２つのレーザ光源を両側に設けて導光棒に入射したり、複数のレーザ光源と導光棒を組み合わせたりしてもよい。
【産業上の利用可能性】
【００５９】
本発明は、液晶ディスプレイ装置の高効率化および高画質化に有用である。
【図面の簡単な説明】
【００６０】
【図１】本発明の実施の形態に係るバックライト装置を有する液晶ディスプレイ装置の概略構成を示す斜視図
【図２】（ａ）バックライト装置をｚ軸の正の方向側から見たときの正面図、（ｂ）液晶パネルをｚ軸の正の方向側から見たときの正面図
【図３】バックライト装置をｘ軸の正の方向側から見たときの部分断面図
【図４】レーザ光の光路の一例を示すための分解斜視図
【図５】第３光源部内でのレーザ光の行路を説明するための説明図
【図６】第３導光板内でのレーザ光の行路を説明するための説明図
【図７】従来技術による液晶バックライト装置の構成の一例を示す模式図
【図８】従来技術による液晶バックライト装置において傾角の異なる３原色の平行光を得る方法を説明するための説明図
【符号の説明】
【００６１】
１０  液晶ディスプレイ装置
１００  バックライト装置
１０１  赤色レーザ光源
１０２  緑色レーザ光源
１０３  青色レーザ光源
１０４  赤色用導光棒
１０５  緑色用導光棒
１０６  青色用導光棒
１０７  第１導光板
１０８  第２導光板
１０９  第３導光板
２００  液晶パネル
２０１  赤色用画素
２０２  緑色用画素
２０３  青色用画素
３０１  液晶パネル
３０２  画素
３０３  レンチキュラレンズ
３０４  ダイクロイックミラー
４００、５００、６００  プリズム
７００、８００、９００  プリズム
【図２】
2010067552.tif 000003
【図３】
2010067552.tif 000004
【図４】
2010067552.tif 000005
【図５】
2010067552.tif 000006
【図６】
2010067552.tif 000007
【図７】
2010067552.tif 000008
【図８】
2010067552.tif 000009
【図１】
2010067552.tif 000010